【手続補正書】
【提出日】平成28年12月15日(2016.12.15)
【手続補正１】
【補正対象書類名】特許請求の範囲
【補正対象項目名】全文
【補正方法】変更
【補正の内容】
【特許請求の範囲】
【請求項１】
遊技盤上の遊技領域に設けられ、常時入球が可能な第１の始動口と、
該第１の始動口への入球に起因して第１の特別遊技に移行せしめるか否かの第１の当否判定を行う第１の当否判定手段と、
所定の抽選の結果に応じて開閉作動する電動役物で構成されて該電動役物の開放時に入球が可能な第２の始動口と、
該第２の始動口への入球に起因して第２の特別遊技に移行せしめるか否かの第２の当否判定を行う第２の当否判定手段と、
前記第１の当否判定に伴って第１の特別図柄を変動表示せしめた後に図柄を確定表示せしめて第１の当否判定の結果を報知せしめる一方、前記第２の当否判定に伴って第２の特別図柄を変動表示せしめた後に図柄を確定表示せしめて第２の当否判定の結果を報知せしめる図柄表示装置と、
前記第１の当否判定の結果又は前記第２の当否判定の結果が前記第１の特別遊技又は前記第２の特別遊技に移行する大当り時に、前記図柄表示装置に確定表示せしめる第１の特別図柄又は第２の特別図柄の大当り図柄を決定せしめる大当り図柄決定手段と、を備え、
かつ前記第１の始動口および第２の始動口が、遊技領域を流下する遊技球の同一流下経路上の位置に設置され、
前記図柄表示装置には、前記第１の特別図柄および前記第２の特別図柄を同時に変動表示可能となし、
前記第１の特別遊技よりも前記第２の特別遊技の方が賞球の獲得に有利な遊技価値の高い遊技に設定されており、
前記第１の特別遊技又は前記第２の特別遊技の終了後には所定の期間、大当りの発生に有利な特典遊技に移行せしめるように構成された遊技機において、
前記第１の特別遊技又は前記第２の特別遊技の終了後にこれら特別遊技の大当り図柄に基づいて、前記第１の特別図柄を変動表示せしめる変動パターンのパターン選択テーブルを、種類の異なる複数のテーブルから１つのテーブルを設定せしめる第１の選択テーブル設定手段と、
前記大当り図柄に基づいて、前記第２の特別図柄を変動表示せしめる変動パターンのパターン選択テーブルを、種類の異なる複数のテーブルから１つのテーブルを設定せしめる第２の選択テーブル設定手段と、を設け、
前記特典遊技中の第１の特別図柄および第２の特別図柄の変動比率を可変可能に構成したことを特徴とする遊技機。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００５７
【補正方法】変更
【補正の内容】
【００５７】
図１３に示すように、本パチンコ機は、「大当り図柄１Ａ」〜「大当り図柄１４Ａ」の１４種類の大当り図柄を備えており、これらの大当り図柄は、「図柄群α１」〜「図柄群α４」の４種類の図柄群のいずれかに属する。
パターン選択テーブルの決定は、例えば、前回の大当り図柄が「図柄群α１」の「大当り図柄１Ａ」では、第１特図の大当り終了後の最初（１回転目）の変動時のパターン選択テーブルは前記「中パターン選択テーブル」に決定され、第１特図の変動が２回転目以降では「中パターン選択テーブル」に決定される。一方、第２特図のパターン選択テーブル
は、変動回数に関わらず前記「短パターン選択テーブル」に決定される。この場合、第１特図の１回転目の変動時間が第２特図よりも長く、その分、第２特図の変動が増え、遊技価値の高い第２特図の大当りを獲得する期待度が少し上がるので「価値上昇期待小期間」となる。
前回の大当り図柄が「図柄群α１」の「大当り図柄２Ａ」で、第１特図の大当り終了後の最初（１回転目）の変動時には、パターン選択テーブルは前記「短パターン選択テーブル」に決定され、第１特図の変動が２回転目以降では「短パターン選択テーブル」に決定される。第２特図は「短パターン選択テーブル」とされる。
前回の大当り図柄が「図柄群α２」の「大当り図柄５Ａ」で、第１特図の大当り終了後の最初（１回転目）の変動時には、パターン選択テーブルは「中パターン選択テーブル」に決定され、第１特図の変動が２回転目以降では「短パターン選択テーブル」に決定される。第２特図は「短パターン選択テーブル」とされる。
前回の大当り図柄が「図柄群α３」の「大当り図柄７Ａ」で第１特図の大当り終了後の最初（１回転目）の変動時には、パターン選択テーブルは前記「長パターン選択テーブル」に決定され、第１特図の変動が２回転目以降では「中パターン選択テーブル」に決定される。第２特図は「短パターン選択テーブル」とされる。この場合、第１特図の１回転目の変動時間が第２特図よりもかなり長く、その分、第２特図の変動が増え、遊技価値の高い第２特図の大当りを獲得する期待度がかなり上がるので「価値上昇期待中期間」となる。
前回の大当り図柄が「図柄群α４」の「大当り図柄１１Ａ」で第１特図の大当り終了後の最初（１回転目）の変動時には、パターン選択テーブルは前記「極長パターン選択テーブル」に決定され、第１特図の変動が２回転目以降では「中パターン選択テーブル」に決定される。第２特図は「短パターン選択テーブル」とされる。この場合、第１特図の１回転目の変動時間が第２特図よりも非常に長く、その分、第２特図の変動が増え、第２特図の大当りを獲得する期待度が最も上がるので「価値上昇期待大期間」となる。
尚、「大当り図柄１Ａ，５Ａ，７Ａ，１１Ａ」等のように、相違手段により第１特図（１回転目）と第２特図とでパターン選択テーブルを相違させる構成である。
【手続補正１１】
【補正対象書類名】明細書
【補正対象項目名】００６６
【補正方法】変更
【補正の内容】
【００６６】
続いて特図の図柄が大当りになる組合せであるか確認し（Ｓ３５２）、大当りになる組合せであったときは（Ｓ３５２：ｙｅｓ）、Ｓ３５３の処理において第１特図および第２特図の同時変動中であるか否かを確認して、同時変動中であれば他方の特図の変動を終了する。この場合、他方の特別図柄の当否判定が大当りであっても強制的には破棄して終了する。
【手続補正１２】
【補正対象書類名】明細書
【補正対象項目名】００８０
【補正方法】変更
【補正の内容】
【００８０】
本パチンコ機１において、同時変動時に一方の特図が大当りとなって大当り遊技が開始されると、他方の特図の変動を一旦中断して（Ｓ３５３のカッコ内）、一方の大当り遊技の終了後に他方の変動を再開するようにしてもよい。
これによれば、第１特図の大当り遊技と第２特図の大当り遊技が同時に実行されることを無くせるとともに、大当り遊技が破棄されるといった不利益を与えずに済む。
【手続補正１３】
【補正対象書類名】明細書
【補正対象項目名】００８４
【補正方法】変更
【補正の内容】
【００８４】
パターン選択テーブルの決定は、例えば、前回の大当り図柄が「図柄群β１」の「大当り図柄１Ｂ」では第１特図のパターン選択テーブルは、当否判定の結果が「大当り」又は「ハズレ」に関わらず、かつ変動回数が１回転、２回転目以降に関わらず前記「中パターン選択テーブル」に決定される。
尚、第２特図のパターン選択テーブルは、当否判定の結果および変動回数に関わらず前記「短パターン選択テーブル」に決定される。この場合、前記「価値上昇期待小期間」となる。
前回の大当り図柄が「図柄群β２」の「大当り図柄５Ｂ」では、第１特図の大当り終了後の最初（１回転目）の変動時は、当否判定の結果に関わらずパターン選択テーブルは「短パターン選択テーブル」に決定され、第１特図の変動が２回転目以降の変動時は、大当り時に「長パターン選択テーブル」が決定される一方、ハズレ時に「短パターン選択テーブル」が決定される。第２特図は「短パターン選択テーブル」とされる。この場合、第１特別図柄の２回転目以降に第２特図の大当りを獲得する期待度がかなり上がるので「再価値上昇期待中期間」が構成できる。
前回の大当り図柄が「図柄群β３」の「大当り図柄９Ｂ」では、第１特図のパターン選択テーブルは、変動回数に関わらず、大当り時に「長パターン選択テーブル」が、ハズレ時に「中パターン選択テーブル」が決定される。第２特図は「短パターン選択テーブル」とされる。この場合、「価値上昇期待中期間」が構成できる。
前回の大当り図柄が「図柄群β４」の「大当り図柄１３Ｂ」では、第１特図の１回転目のパターン選択テーブルは、当否判定の結果に関わらず「長パターン選択テーブル」に決定され、２回転以降は大当り時に「長パターン選択テーブル」が、ハズレ時に「中パターン選択テーブル」が決定される。第２特図は「短パターン選択テーブル」とされる。この場合、「価値上昇期待中期間」が構成できる。
前回の大当り図柄が「図柄群β５」の「大当り図柄１７Ｂ」では、第１特図の１回転目のパターン選択テーブルは、大当り時に「長パターン選択テーブル」が、ハズレ時に「中パターン選択テーブル」が決定される。２回転以降は大当り時に「極長パターン選択テーブル」が、ハズレ時に「中パターン選択テーブル」が決定される。第２特図は「短パターン選択テーブル」とされる。この場合、第１特別図柄の２回転目以降に第２特図の大当りを獲得する期待度が最も上がるので「再価値上昇期待大期間」が構成できる。
前回の大当り図柄が「図柄群β６」の「大当り図柄２１Ｂ」では、第１特図の１回転目のパターン選択テーブルは、大当り時に「極長パターン選択テーブル」が、ハズレ時に「長パターン選択テーブル」が決定され、２回転以降は大当り時に「極長パターン選択テーブル」が、ハズレ時に「中パターン選択テーブル」が決定される。第２特図は「短パターン選択テーブル」とされる。この場合、「価値上昇期待大期間」が構成できる。
【手続補正１４】
【補正対象書類名】明細書
【補正対象項目名】００８９
【補正方法】変更
【補正の内容】
【００８９】
１  パチンコ機（遊技機）
２  遊技盤
２１  演出図柄表示装置（図柄表示装置）
２３  第１特図始動口（第１の始動口）
２４  第２特図始動口（第２の始動口）
２５  大入賞口
４０  主制御装置（第１の当否判定手段、第２の当否判定手段、大当り図柄決定手段、第１の選択テーブル設定手段、第２の選択テーブル設定手段）